(57)【要約】      （修正有）【課題】粘着テープロールを巻き戻すときに、両面粘着テープが剥がれて接続部の粘着テープが一周分に渡って重なった二重状態になって巻き戻されるなどの不具合が起こることなく、テープを確実に繋いで巻き戻すことのできる粘着テープを提供する。【解決手段】基材１の片面に粘着剤層２を有する粘着テープ４の接続する粘着剤層を外側にして折り返した末端５がある。また、接続される粘着テープ８の粘着剤層７を外側にして折り返した末端１０がある。この両折り返した末端５，１０の粘着剤層同士を合掌貼りに貼り合わせることによって、繋ぎ合わせて継目部１１を形成した粘着テープロールとする。これにより上記二重状態になるなどの不具合が生じない。【選択図】図１
0003122309.tif 000002
【実用新案登録請求の範囲】
【請求項１】
互いに繋ぎ合わされる基材の片面に粘着剤層を有する２本の粘着テープを備え、接続される粘着テープの粘着剤層を外側にして折り返した末端と、接続する粘着テープの粘着剤層を外側にして折り返した末端と、両折り返した末端の粘着剤層同士を合掌貼りに貼り合わせて繋ぎ合わせた継目部を有する粘着テープ。
【請求項２】
上記粘着テープは、その粘着剤層と反対の背面側には剥離性の背面処理層を有しており、上記合掌貼りに貼り合わせた粘着テープの継目部を何れか一方の粘着テープの背面側に折り返したときの該折り返し部及び対向する粘着テープの両背面部分の背面処理層を除去し、その粘着テープの対向部分を接着剤または両面粘着テープによって貼付けている請求項１に記載の継目部を有する粘着テープ。
【請求項３】
上記接続される粘着テープの粘着剤層を外側にして折り返した末端と、この折り返した末端の粘着剤層に接続する粘着テープの末端から少し離れた粘着剤層を貼り合わせて合掌貼りに繋ぎ合わせた継目部を有し、接続される粘着テープの継目部及びこれに連続する背面側の剥離性の背面処理層を除去して上記継目部と対向する背面側を接着剤または両面粘着テープによって貼付けると共に接続する粘着テープの末端部を接続される粘着テープの背面側に貼り付けている請求項２に記載の継目部を有する粘着テープ。
【請求項４】
上記粘着テープは、粘着作用よりも粘着剤層同士の自着作用が大きく形成されている請求項１〜３のいずれかに記載の継目部を有する粘着テープ。
【考案の詳細な説明】
【技術分野】
【０００１】
本考案は継目部を有する粘着テープに関するものである。
【背景技術】
【０００２】
粘着テープは、継ぎ目無しに連続していれば、どこで切断しても同じようにして使用することができるので好ましい。
しかしながら、特に、基材に印刷を施した特注品などでは、印刷した原反の長さが、製品としての粘着テープロールの１巻の長さの、必ずしも整数倍ではないことが多く、粘着テープロールを途中まで巻き取ったときにテープの供給が終わることがある。
【０００３】
こうしたことを無くするためには、中途半端にテープが残ったものを廃棄してしまえば、継ぎ目の無い粘着テープロールを確実に得ることができる。
しかしながら、中途半端に残ったテープを廃棄することは、コストの上昇を招き、また資源の無駄遣いにもなって好ましくない。
そこで、粘着テープロールを途中まで巻いたところで粘着テープが終って切れた場合には、粘着テープを繋ぐことが行われている。
【０００４】
従来、この繋がれた粘着テープは、図４に示すように、接続する（継ぎ足す）側の粘着テープ３１の末端３２の背面側（粘着剤層と反対側）３３の背面処理層をヘキサンなどの有機溶媒で除去して両面粘着テープ３４を貼付し、この両面粘着テープ３４を、接続される（継ぎ足される）側の粘着テープ３６の末端３７の粘着剤層３８に貼り合せることによって接続し、ロールに巻き取ることによって粘着テープロールとしている（図４−Ａ，Ｂ）。
しかしながら、このようにして接続した粘着テープロールを使用する場合、接続した粘着テープ３１を巻き戻して行き（図４−Ｃ）、接続部（継目部）に至ったときに、本来であれば剥がれてはいけない上記両面粘着テープ３４が、接続した粘着テープ３１の背面側３３から剥がれてしまうことがあり、接続したテープ３１と接続された粘着テープ３６とが重なって貼り合わされた二重状態３９で巻き戻されてしまい（図４−Ｄ）、粘着テープが接続部で切れてしまうことは無いものの、この重なって貼り合わされた二重状態３９は、粘着テープのロールの一周分続くことになって（図４−Ｄ，Ｅ）、粘着テープを使用する上で極めて都合が悪いという問題点があった。
【０００５】
また、上記両面粘着テープ３４を使用することなく、接続する粘着テープと接続される粘着テープを重ね合わせ、加熱加圧ヘッドを有する接着装置を使用して加熱加圧によって接着するものもあるが、接着装置を設備するなどの点で、簡便に作業を行うことが出来ない。（特許文献１）
【特許文献１】特開２００４−２００１２６号公報
【考案の開示】
【考案が解決しようとする課題】
【０００６】
本考案は、継目のある粘着テープにおいて、これを巻き戻す際に接続部においてこれが外れたり、粘着テープが一周分に渡って重なっている二重状態になるなどの不具合が起きることなく、テープを確実に繋いで、キチンと巻き戻すことができる粘着テープを得ようとするものである。
【課題を解決するための手段】
【０００７】
本考案は、基材の片面に粘着剤層を有する粘着テープの、接続される粘着テープの粘着剤層を外側にして折り返した末端と、接続する粘着テープの粘着剤層を外側にして折り返した末端と、この両折り返した末端の粘着剤層同士を合掌貼りに貼り合わせて繋ぎ合わせることによって継目部を形成した粘着テープとするものである。
また、上記合掌貼りに貼り合わせた粘着テープを上記継目部の一方の粘着テープの背面側に折り重ねたときに、この折り重ね部において対向する粘着テープの両背面部分の剥離性の背面処理層を除去してその粘着テープの背面の対向部分を接着剤または両面粘着テープによって貼付けることによって、継目部を固定するようにした粘着テープとするものである。
【考案の効果】
【０００８】
本考案によれば、接続部のある基材の片面に粘着剤層を有する粘着テープにおいて、粘着テープを巻き戻す際に、接続部（継目部）が外れたり、粘着テープが一周分に渡って重なっている二重状態になるなどの不具合が起きることなく、確実に巻き戻すことができ、継目を気にすることなく使用することができる。
【考案を実施するための最良の形態】
【０００９】
基材１の片面に粘着剤層２を有する接続する粘着テープ４の末端５を、その粘着剤層２が外側になるようにして折り返す。
一方、同様に基材６の片面に粘着剤層７を有する接続される粘着テープ８の末端１０も、その粘着剤層７が外側になるようにして折り返す。
上記接続される粘着テープ８の折り返した末端１０の粘着剤層７と、接続する粘着テープ４の折り返した末端５の粘着剤層２を、合掌貼り状態に貼り合わせて継目部１１にする（図１−Ａ）。こうした継目部１１は、粘着剤層同士２、７が貼り合わせてあるので、この粘着テープを引張っても貼り合わせた継目部１１から剥がれることはない。
【００１０】
こうした継目部１１を形成してから、接続した粘着テープ４を巻いて行くと、継目部１１は接続した粘着テープ４によって自然と粘着テープ８の背面側に倒されて、次々と巻かれて行くのでそのまま引続き巻き取って行くと、所定の長さに巻き取って粘着テープロールとなる。
【００１１】
上記粘着テープロールを使用するときに、これを巻き戻して行くと、上記継目部１１に至っても接続した粘着テープ４、８は粘着剤層同士が合掌貼りされていて剥がれることが無い。従って、従来のように粘着テープが一周分に渡って重なっている二重状態になるなどの不具合が起きることなく、連続してスムーズに巻き戻すことができ、支障なく使用することができる。
【００１２】
上記粘着テープロールを巻き戻して行ったとき、上記継目部１１は、接続される粘着テープ８の粘着剤層７と接続する粘着テープ４の粘着剤層２が合掌貼りにされ、粘着剤層と反対側の背面には剥離性の背面処理層があるので、継ぎ合わされた粘着テープ８の背面側より立ち上がってブラブラすることがあり、不都合なことが起こる場合がある。
こうした場合、上記両粘着テープ４、８を繋いで継目部１１を形成したときに、図２に示すように、この継目部１１を接続される粘着テープ８または接続する粘着テープ４の何れかの背面側に倒すようにし、何れかの粘着テープの背面側及びこれに連続して対向する継目部１１の背面側の背面処理層を除去し、接着剤または両面粘着テープ１２などによってこの継目部１１を粘着テープの背面側に貼り付けて粘着テープロールとする。
こうすると、上記粘着テープロールを巻き戻して行ったとき、上記継目部１１は図２において粘着テープ８の背面側に接着されていて、継目部１１が接続された粘着テープ８の部分から立ち上がってブラブラすることもなく、殆ど継目の無い粘着テープと同様にして使用することができる。
【００１３】
さらに、図３に示すように、上記接続される粘着テープ８の末端１０を粘着剤層７を外側にして折り返し、この末端１０の粘着剤層７に、接続する粘着テープ４の末端５の端から少し離れた位置５１の粘着剤層２を貼り合わせて合掌貼りに繋ぎ合わせる。接続される粘着テープ８の継目部１１及びこれに連続する背面側の剥離性の背面処理層（粘着剤層７の反対面側）を除去し、上記継目部１１と対向する背面側を接着剤または両面テープ１２によって貼付けると共に、接続する粘着テープ４の末端部５の粘着剤層２によって接続される粘着テープ８の背面側に貼り付けるようにすれば、繋ぎ合わせを一層確実にした粘着テープロールとなり、粘着テープの背面側に表示がある場合の柄合わせも容易にできたものとなる。
【００１４】
上記した粘着テープとしては、各種の粘着テープを使用して繋ぎ合わせを行うことができるが、特に、被着物に対する粘着作用よりも粘着剤層同士の自着作用が大きくなっている粘着テープにおいて一層のこと効果的である。
【実施例】
【００１５】
ほうれん草、春菊その他の野菜類を結束するための野菜結束テープ［「たばねら」（登録商標）テープ：ニチバン株式会社製］を使用し、上記した如く図１に示すとおりに、接続される粘着テープの末端を粘着剤層を外側にして折り返し、接続する粘着テープの末端を粘着剤層を外側にして折り返し、両粘着テープの末端の粘着剤層同士を合掌貼りに貼り合せて接続し全長が１００ｍになるように巻回した粘着テープロールとした。
【００１６】
（比較例）
図４に示すとおり、接続する（継ぎ足す）側の粘着テープ３１の末端３２の背面側（粘着剤層と反対側）３３に両面粘着テープ３４を貼付し、この両面粘着テープ３４を接続される（継ぎ足される）側の粘着テープ３６の末端３７の粘着剤層３８に貼り合せることによって接続し、これを巻回した粘着テープロールとした。他は実施例と同様にした。
【００１７】
（テスト・テストの結果）
上記実施例及び比較例のものを１０００巻づつ用意し、巻き戻しテストを行った。
不具合の発生回数：
実施例：継目部で切れたりその他の不具合は全く発生しなかった。
比較例：継目部において接続したテープ３１と接続された粘着テープ３６とが重なっ
て一周分が貼り合わされた二重状態３９で巻き戻されてしまう不都合が２巻
生じた。
このテストの結果から判るように、実施例のものは確実に繋がれている粘着テープロールであることが判る。
【図面の簡単な説明】
【００１８】
【図１】本発明の実施例の説明図
【図２】図１の継目部の変形例を示す拡大説明図
【図３】図１の継目部の他の変形例を示す拡大説明図
【図４】従来のものの接続部の説明図
【符号の説明】
【００１９】
１      接続する粘着テープの基材
２      接続する粘着テープの粘着剤層
４      接続する粘着テープ
５      接続する粘着テープの末端
６      接続される粘着テープの基材
７      接続される粘着テープの粘着剤層
８      接続される粘着テープ
１０    接続する粘着テープの末端
１１    継目部    
１２    両面粘着テープ    
【図１】
0003122309.tif 000003
【図２】
0003122309.tif 000004
【図３】
0003122309.tif 000005
【図４】
0003122309.tif 000006